(57)【要約】      （修正有）【課題】集塵装置が掃除機本体の収納部分に対して、着脱し易く、またエアタイト用パッキン類が前記着脱によっても磨耗し難い電気掃除機を提供する。【解決手段】吸込口２に設けられたパッキンＡ１３と、集塵ボックスとフィルター部からなる集塵装置１１を収納する集塵装置収納部３と、集塵装置収納部３の上方の開口部を開閉可能な外蓋７と、吸引風を発生させる電動送風機４を収納する電動送風機室５とを備え、集塵装置１１のフィルター部は、電動送風機室５と連通すると共に、外蓋７と集塵装置収納部３上方の開口部に設けたパッキンＢ８とでエアタイトを行い、集塵装置収納部３上方の開口部を外蓋７で閉塞したとき、集塵装置１１を、吸込口２に設けられたパッキンＡ１３に圧接させる構成とした。従って、集塵装置１１の下流側端面と電動送風機室５前面の壁面とのエアタイト用パッキンが不要になり、集塵装置１１の集塵装置収納部３への着脱がスムーズに行える。【選択図】図１
2008061925.tif 000002
【特許請求の範囲】
【請求項１】
塵埃を吸引する吸込口と、前記吸込口に設けられたパッキンＡと、前記吸込口の下流側に設けられ、集塵ボックスとフィルター部からなる集塵装置を収納する集塵装置収納部と、前記集塵装置収納部の上方の開口部を開閉可能な外蓋と、前記集塵装置収納部の下流側に設けられ、吸引風を発生させる電動送風機を収納する電動送風機室とを備え、前記集塵装置のフィルター部は、前記電動送風機室と連通すると共に、前記外蓋と前記集塵装置収納部上方の開口部に設けたパッキンＢとでエアタイトを行い、前記集塵装置収納部上方の開口部を前記外蓋で閉塞したときに、前記集塵装置を、前記吸込口に設けられたパッキンＡに圧接させる構成とした電気掃除機。
【請求項２】
集塵装置の下端に突起部を設け、集塵装置収納部の底面に設けた溝に前記突起部を嵌合させて、前記集塵装置収納部上方の開口部を外蓋で閉塞したときに、前記外蓋に設けた突起部が前記集塵装置を、上流側に設けられたパッキンＡに、圧接させる構成とした請求項１記載の電気掃除機。
【発明の詳細な説明】
【技術分野】
【０００１】
本発明は集塵装置をその収納部へ搭載する電気掃除機に関するものである。
【背景技術】
【０００２】
従来、この種の電気掃除機は、集塵装置の下流側端面と上流側端面とにおいて、集塵装置あるいは対向する掃除機本体の壁面の、いずれかにエアタイト用のパッキン類を設け、集塵装置を掃除機本体に対して上下方向に動かして、脱着させる構成としていた（例えば、特許文献１参照）。
【特許文献１】特開２００６−１９２０４６号公報
【発明の開示】
【発明が解決しようとする課題】
【０００３】
しかしながら、前記従来の構成では、集塵装置を集塵装置収納部と脱着させる際、集塵装置あるいは対向する掃除機本体の壁面の、いずれかに設けられたエアタイト用のパッキン類が抵抗となって脱着し難いと共に、脱着の際に、摩擦によってパッキン類が摩耗し密閉効果が低下する可能性が有り、パッキン類の交換の必要性も生じ得る可能性があるという問題があった。
【０００４】
本発明は、前記従来の課題を解決するもので、集塵装置が掃除機本体の収納部分に対して、着脱し易く、またエアタイト用パッキン類が前記着脱によっても摩耗し難い電気掃除機を提供することを目的とする。
【課題を解決するための手段】
【０００５】
上記課題を解決するために本発明は、塵埃を吸引する吸込口と、前記吸込口に設けられたパッキンＡと、前記吸込口の下流側に設けられ、集塵ボックスとフィルター部からなる集塵装置を収納する集塵装置収納部と、前記集塵装置収納部の上方の開口部を開閉可能な外蓋と、前記集塵装置収納部の下流側に設けられ、吸引風を発生させる電動送風機を収納する電動送風機室とを備え、前記集塵装置のフィルター部は、前記電動送風機室と連通すると共に、前記外蓋と前記集塵装置収納部上方の開口部に設けたパッキンＢとでエアタイトを行い、前記集塵装置収納部上方の開口部を前記外蓋で閉塞したときに、前記集塵装置を、前記吸込口に設けられたパッキンＡに圧接させる構成の電気掃除機としたものである。
【０００６】
これによって、集塵装置の下流側端面と電動送風機室前面の壁面とのエアタイトが不要になり、集塵装置の下流側端面と電動送風機室前面の壁面とのエアタイト用パッキン類も不要になるため、前記集塵装置の集塵装置収納部への着脱がスムーズとなり、関連するパッキン類も不要にして、パッキン類の摩耗に基づく密閉効果の低下を、排除できる。
【発明の効果】
【０００７】
本発明の電気掃除機は、集塵装置の下流側端面と電動送風機室前面の壁面とのエアタイト用パッキン類が不要になり、集塵装置の集塵装置収納部への着脱がスムーズになり、また、前記パッキン類の摩耗に基づく密閉効果の低下も排除できる。
【発明を実施するための最良の形態】
【０００８】
第１の発明は、塵埃を吸引する吸込口と、前記吸込口に設けられたパッキンＡと、前記吸込口の下流側に設けられ、集塵ボックスとフィルター部からなる集塵装置を収納する集塵装置収納部と、前記集塵装置収納部の上方の開口部を開閉可能な外蓋と、前記集塵装置収納部の下流側に設けられ、吸引風を発生させる電動送風機を収納する電動送風機室とを備え、前記集塵装置のフィルター部は、前記電動送風機室と連通すると共に、前記外蓋と前記集塵装置収納部上方の開口部に設けたパッキンＢとでエアタイトを行い、前記集塵装置収納部上方の開口部を前記外蓋で閉塞したときに、前記集塵装置を、前記吸込口に設けられたパッキンＡに圧接させる構成の電気掃除機とすることにより、集塵装置の下流側端面と電動送風機室前面の壁面とのエアタイト用パッキン類が不要になり、集塵装置の集塵装置収納部への着脱がスムーズになり、また、前記パッキン類の摩耗に基づく密閉効果の低下も排除できる。
【０００９】
第２の発明は、第１の発明の集塵装置の下端に突起部を設け、集塵装置収納部の底面に設けた溝に前記突起部を嵌合させて、前記集塵装置収納部上方の開口部を外蓋で閉塞したときに、前記外蓋に設けた突起部が前記集塵装置を、上流側に設けられたパッキンＡに、圧接させる構成としたことにより、電気掃除機本体の吸込口に設けられた前記パッキンＡと集塵装置の上流側壁面を圧接した状態で、集塵装置を着脱することがなく、集塵装置着脱時に前記パッキンＡによる抵抗が無くなり、集塵装置の集塵装置収納部への着脱がよりスムーズになり、また併せて、前記パッキンＡと集塵装置の上流側壁面を圧接した状態で、集塵装置を着脱させないため、前記パッキンＡも摩耗し難くなるものである。
【００１０】
以下、本発明の実施の形態について、図面を参照しながら説明する。なお、この実施の形態によって本発明が限定されるものではない。
【００１１】
（実施の形態１）
図１に示すように、電気掃除機本体１は本体ケース６で囲われ、電気掃除機本体１には、前方にホースを差し込むための吸込口２が設けられ、この吸込口２の後方に、集塵装置１１が収納される集塵装置収納部３が形成され、さらに、この集塵装置収納部３の後方に電動送風機４が内蔵される電動送風機室５が設けられている。
【００１２】
集塵装置収納部３は、上面が開口しており、この開口は本体ケース６に一端を回動自在に支持された外蓋７により開閉される。また開口の周縁部には、外蓋７を閉じた時、開口をシールするパッキンＢ８が設けられている。
【００１３】
集塵装置収納部３に収納される集塵装置１１は、ＡＢＳ樹脂等の透明部材で構成されており、前側に吸込口２と連通するための連通穴１２が設けてあり、この連通穴１２にはパッキンＡ１３が取付けられている。集塵装置収納部３の下部の穴部２１には、集塵装置１１を集塵装置収納部３に収納する時、電気掃除機本体１から突出する位置決めリブ２０が挿入され、この穴部２１に位置決めリブ２０を挿入することにより集塵装置収納部３を所定の位置に収納できる。また外蓋７に設けられた突起部３１が集塵装置１１とテーパー嵌合することによって、集塵装置１１とパッキンＡ１３とのタイトが行える構成となっている。
【００１４】
また、集塵装置１１は、図２に示すように、集塵ボックス１１ａと後側のフィルター部１１ｂからなり、後側のフィルター部１１ｂは、枠体２３と一体成形されたフィルター２２から形成される。枠体２３のフィルター部１１ｂ側には全周にシール手段であるシールパッキン２４ａが設けられ、フィルター部１１ｂを閉じたとき、集塵ボックス１１ａと密封できる。フィルター部１１ｂは、枠体２３の下側に設置された２箇所のヒンジ部２５により集塵ボックス１１ａに開閉可能に取付けられ、枠体２３の上側に設置されたストッパー部２６の操作により開閉される。
【００１５】
フィルター２２は、プリーツ加工（断面波形状に加工）された細塵用フィルターであり、プリーツ加工された断面波形状の山と谷の折り目の方向はフィルター全体で上下方向に揃えてあり、蓋体部１１ｂを閉じたとき、集塵ボックス１１ａとフィルター部１１ｂの接合部のうち、この折り目方向の一方にヒンジ部２５、もう一方にストッパー部２６が設けられている。図２では、集塵装置１１の上側の結合部にストッパー部２６、下側にヒンジ部２５が、設けられている。
【００１６】
フィルター２２の前には、カバー２８と一体成形された、材質がナイロン又はポリエステルのネット状の粗塵用のプレフィルター２７が設置される。ここで、カバー２８の外周部と枠体２３の外周部のうち、少なくとも一方にはフィルター面と垂直方向に突出するリブ２９が設けられる。図２では、フィルター２２の前に設置されたプレフィルター２７の図示は省略され、カバー２８からのフィルター面と垂直方向に突出するリブ２９を図示している。
【００１７】
また、集塵装置１１のフィルター部１１ｂのフィルター２２の下流側、即ち枠体２３の開口周辺部と電動送風機室５に通じる集塵装置収納部３の後壁との間はシール手段による密閉は行わず、集塵装置１１が集塵装置収納部３に収納されたとき集塵装置１１と後壁との間に空間３０が形成される。このように構成された集塵装置１１は、集塵装置収納部３に収納されたとき、シール手段により、吸込口２とパッキンＡ１３との接合部、外蓋７とパッキンＢ８とをシールすることにより、密閉空間を形成する。
【００１８】
次にこのような電気掃除機の動作について説明する。
【００１９】
電動送風機４の駆動により、外部の塵埃は吸込口２より電気掃除機内に入り、パッキンＡ１３を通り、直線的に勢いよくネット状のプレフィルター２７にぶつかる。このとき、粗塵はプレフィルター２７でろ過される。細塵は、空気と共にプレフィルター２７を通過して、次のメインフィルターであるフィルター２２に衝突する。フィルター２２は圧損が大きく、簡単には通過できず、ぶつかった細塵と空気は、プリーツ加工されたフィルター２２の断面波形状の谷部の折り目に沿って勢いよくフィルター部１１ｂの上下方向に向きを変えて進行する。しかし、フィルター２２の折り目方向の集塵ボックス１１ａとフィルター部１１ｂとの結合部には、ヒンジ部２５及びストッパー部２６が設けられているので、集塵装置１１の集塵ボックス１１ａとフィルター部１１ｂとの結合部のこの方向の密着性が良く、シールパッキン２４ａから集塵装置１１の外部に細かい塵埃は排出されることがなく、外蓋７及び集塵装置収納部３を汚すことはない。
【００２０】
また、カバー２８又は枠体２３の外周部にフィルター面と垂直に突設したリブ２９を設けているので、このリブ２９が壁になり、細かい塵埃の集塵装置１１の外部への排出を防止する。
【産業上の利用可能性】
【００２１】
以上のように、本発明にかかる電気掃除機は、集塵装置の下流側端面と電動送風機室前面の壁面とのエアタイト用パッキン類が不要になり、集塵装置の集塵装置収納部への着脱がスムーズになり、また、前記パッキン類の摩耗に基づく密閉効果の低下も排除でき、集塵装置を搭載した電気掃除機に幅広く適用することができる。
【図面の簡単な説明】
【００２２】
【図１】本発明の実施の形態１における電気掃除機の断面図
【図２】同、電気掃除機の集塵装置の外観図
【符号の説明】
【００２３】
２      吸込口
３      集塵装置収納部
４      電動送風機
５      電動送風機室
７      外蓋
８      パッキンＢ
１１    集塵装置
１１ａ  集塵ボックス
１１ｂ  フィルター部
１３    パッキンＡ
２０    位置決めリブ（突起部）
２１    穴部（溝）
３１    突起部
【図１】
2008061925.tif 000003
【図２】
2008061925.tif 000004